【手続補正書】
【提出日】平成25年10月10日(2013.10.10)
【手続補正１】
【補正対象書類名】特許請求の範囲
【補正対象項目名】全文
【補正方法】変更
【補正の内容】
【特許請求の範囲】
【請求項１】
装置によって再生される1つ以上のメディアファイルに関連するユーザ対話を管理する方法であって、
メディアファイル、及び、該メディアファイルに関連する少なくとも1つの広告であって、インターネットリソースを載せている該広告を、オンラインモードで動作するウェブブラウザによって、かつコンテンツサーバから、受信すること、
前記メディアファイル及び前記少なくとも1つの広告を、ローカルファイルシステム内に格納すること、
前記格納されたメディアファイルおよび前記格納された少なくとも1つの広告を、オフラインモードで再生すること、
オフラインモード中に、前記少なくとも1つの広告とのユーザ対話を検出すること（ここで、該ユーザ対話は、前記ウェブブラウザがオフラインモードにあるときに利用できない少なくとも1つのアクションの、ユーザによる要求を含む。）、
前記ウェブブラウザがオフラインモードにあるときに利用できない少なくとも1つのアクションの、前記ユーザによる要求の少なくとも一部を、該ウェブブラウザがオフラインモードにある間に格納すること、及び
前記少なくとも1つの広告に載っていた前記インターネットリソースを前記ウェブブラウザによって開くことを含む、該ウェブブラウザがオフラインモードにあったときに利用できなかった少なくとも1つのアクションを、該ウェブブラウザがオンラインモードに復帰したときに実行すること、
を含む、前記方法。
【請求項２】
前記ウェブブラウザによって、前記メディアファイル及び前記少なくとも1つの広告に関連するメタデータファイルを受信することをさらに含み、
前記メタデータファイルは、該メディアファイルに関し、該少なくとも1つの広告をいつ再生すべきかを示すタイミング情報を備える、請求項１に記載の方法。
【請求項３】
前記メディアファイルを格納することは、該メディアファイルを復号化すること、及び前記ローカルファイルシステムの安全な部分に該メディアファイルを格納することを含む、請求項1又は2記載の方法。
【請求項４】
前記ユーザ対話を格納することは、前記ウェブブラウザが前記オンラインモードでの動作に復帰するとき、該ユーザ対話に関連するウェブアドレスにアクセスすべきことを該ウェブブラウザに示すことを含む、請求項1又は2記載の方法。
【請求項５】
前記メディアファイルを再生することは、
該メディアファイルに関連する暗号化キーをデジタル権限管理モジュールから要求すること、
前記暗号化キーを用いて該メディアファイルを復号化すること、
メディアプレーヤに広告タイミング命令を付与すること（ここで前記広告タイミング命令は、該メディアファイルに関し、前記メディアプレーヤが、該メディアファイルの前記再生を一時停止し、代わりに前記少なくとも1つの広告を再生する1回以上のリストを含む。）、及び
該メディアプレーヤによって、該広告タイミング命令に従って、前記復号化されたメディアファイル及び前記少なくとも1つの広告を再生することを含む、請求項1又は2記載の方法。
【請求項６】
前記ウェブブラウザは、オペレーティングシステムとして機能するように構成される、請求項1又は2記載の方法。
【請求項７】
前記メディアファイルに関する満期イベントが発生した後、前記格納されたメディアファイル及び該メディアファイルに関連する少なくとも1つの広告を削除することをさらに含む、請求項1又は2記載の方法。
【請求項８】
オンラインモードでの動作時、前記コンテンツサーバにユーザの使用及びユーザ対話情報を報告することをさらに含む、請求項1又は2記載の方法。
【請求項９】
受信することは、前記メディアファイルのファイル種別を検出し、前記ファイル種別に基づいて、該メディアファイルを格納するか又はすぐに再生するかを決定することを含み、
再生することは、前記ユーザが、該メディアファイルを再生するアクセス権限を有するかどうか決定することを含む、請求項1又は2記載の方法。  
【請求項１０】
オンラインモードおよびオフラインモードで動作するように構成された装置であって、オンラインモードで動作している時、該装置はコンテンツサーバに通信可能に接続され、オフラインで動作している時、該装置は前記コンテンツサーバに通信可能に接続されないものであって、
該コンテンツサーバから、メディアファイル、及び、前記メディアファイルに関連する少なくとも1つの広告であって、インターネットリソースを載せている該広告を受信するように構成される、オペレーティングシステムと、
該メディアファイルおよび前記少なくとも1つの広告を、ローカルファイルシステム内に、格納するように構成される、不揮発性メモリと、
該装置がオフラインモードで動作している間、前記格納されたメディアファイル及び前記格納された少なくとも1つの広告を再生すること、
該装置がオフラインモードにある間に、前記少なくとも1つの広告とのユーザ対話を検出すること（ここで、該ユーザ対話は、該オフラインモード中に利用できない少なくとも1つのアクションの、ユーザによる要求を含む。）、
該オフラインモード中に利用できない少なくとも1つのアクションの、前記ユーザによる要求の少なくとも一部を、該装置がオフラインモードにある間に格納すること、及び
前記少なくとも1つの広告に載っていた前記インターネットリソースをウェブブラウザによって開くことを含む、該オフラインモード中に利用できなかった少なくとも1つのアクションを、該装置がオンラインモードに復帰したときに実行すること、を行うように構成される、メディアプレーヤと、
を備える、前記装置。
【請求項１１】
前記オペレーティングシステムは、前記コンテンツサーバから、前記メディアファイル及び前記少なくとも1つの広告に関連するメタデータファイルを受信するように、さらに構成され、
前記メタデータファイルは、該メディアファイルに関し、該少なくとも1つの広告をいつ再生すべきかを示すタイミング情報を含む、請求項10に記載の装置。
【請求項１２】
前記メディアファイルを復号化して前記ローカルファイルシステムの安全な部分に該メディアファイルを格納するように構成されるデジタル権限管理(DRM)モジュールをさらに含む、請求項10又は11記載の装置。
【請求項１３】
前記メディアプレーヤは、前記装置がオンラインモードでの動作に復帰したとき、前記ユーザ対話に関連するウェブアドレスにアクセスすべきであることを前記オペレーティングシステムに示す、請求項10又は11記載の装置。
【請求項１４】
前記メディアプレーヤは、
前記メディアファイルに関連する暗号化キーを要求すること、
前記暗号化キーを用いて該メディアファイルを復号化すること、
広告タイミング命令を受信すること（ここで、前記広告タイミング命令は、該メディアファイルに関し、該メディアプレーヤが該メディアファイルの再生を一時停止し、代わりに前記少なくとも1つの広告を再生する1回以上のリストを含む。）、及び
該広告タイミング命令に従って、前記復号化されたメディアファイル及び前記少なくとも1つの広告を再生すること、を行うように構成される、請求項10又は11記載の装置。
【請求項１５】
前記オペレーティングシステムは、前記ウェブブラウザとして機能する、請求項10又は11記載の装置。
【請求項１６】
前記メディアファイルに関する満期イベントが発生した後、前記格納されたメディアファイル及び該メディアファイルに関連する少なくとも1つの広告を削除するように構成されるデジタル権限管理(DRM)モジュールをさらに備える、請求項10又は11記載の装置。
【請求項１７】
前記オペレーティングシステムは、オンラインモードで動作している時、前記コンテンツサーバにユーザ使用及びユーザ対話情報を報告するように構成される、請求項10又は11記載の装置。
【請求項１８】
前記オペレーティングシステムは、前記メディアファイルのファイル種別を検出し、該ファイル種別に基づいて、該メディアファイルを格納すべきか、或いはすぐに再生すべきかを決定する、請求項10又は11記載の装置。
【請求項１９】
有形に具現されるコンピュータ可読媒体であって、実行されるとき、メディア再生装置に、
オンラインモードで動作する前記メディア再生装置によって、かつコンテンツサーバから、メディアファイル、及び、該メディアファイルに関連する少なくとも1つの広告であって、インターネットリソースを載せている該広告を受信すること、
前記メディアファイル及び前記少なくとも1つの広告を、ローカルファイルシステム内に格納すること、
前記格納されたメディアファイル及び前記格納された少なくとも1つの広告を、オフラインモードで再生すること、
オフラインモード中に、該少なくとも1つの広告とのユーザ対話を検出すること（ここで、該ユーザ対話は、該オフラインモード中に利用できない少なくとも1つのアクションの、ユーザによる要求を含む。）、
該オフラインモード中に利用できない少なくとも1つのアクションの、前記ユーザによる要求の少なくとも一部を、該オフラインモード中に格納すること、及び
前記少なくとも1つの広告に載っていた前記インターネットリソースをウェブブラウザによって開くことを含む、該オフラインモード中に利用できなかった少なくとも1つのアクションを、オンラインモードに復帰したときに実行すること、
を行わせる、実行可能なコードを含む、前記媒体。
【請求項２０】
前記実行可能なコードは、実行されるとき、メディア再生装置に
前記メディアファイル及び前記少なくとも1つの広告に関連するメタデータファイルを受信すること（ここで、前記メタデータファイルは、該メディアファイルに関し、該少なくとも1つの広告をいつ再生すべきかを示すタイミング情報を備える。）、及び
該メディアファイルを復号化し、また該メディアファイルを前記ローカルファイルシステムの安全な部分に格納すること、を行わせる、請求項19に記載のコンピュータ可読媒体。